(57)【要約】産業用装置上に情報を表示するためのシステムおよび方法が記述される。１つの変形において、産業用デバイスは、産業用システムに対する方向に産業用デバイスのディスプレイパネルを設置するように配置される。産業用デバイスは次いで、ディスプレイパネルの方向を該方向に固定するように、産業用システムに取り付けられる。ディスプレイパネル上の内容の提示は、ユーザの見る視野に対するディスプレイパネルの方向に応答して、変化される。
2009501941.tif 000002
【特許請求の範囲】
【請求項１】
産業用デバイスからユーザに情報を提示する方法であって、
産業用システムに対する方向に該産業用デバイスのディスプレイパネルを設置するように、該産業用デバイスを配置することと、
該ディスプレイパネルの方向を該方向に固定するように、該産業用システムに該産業用デバイスを取り付けることと、
ユーザの見る視野に対する該ディスプレイパネルの方向に応答して、該ディスプレイパネル上の内容の提示を変化させることと
を包含する、方法。
【請求項２】
前記産業用デバイスのユーザから命令を受信することを含み、前記提示を変化させることは該ユーザからの該命令に応答する、請求項１に記載の方法。
【請求項３】
前記産業用デバイスの前記方向を感知することと、
該産業用デバイスの方向を指示する信号を生成することと
を含み、前記提示を変化させることは、該信号の関数として前記内容の該提示を変化させることを含む、請求項１に記載の方法。
【請求項４】
前記提示を変化させることは、前記ディスプレイの前記方向に関わらず、キャラクタを前記ユーザの前記視野からと同じ順序にさせるように該ディスプレイの該キャラクタの該順序を変化させることを含む、請求項１に記載の方法。
【請求項５】
複数のサブディスプレイを駆動することであって、該サブディスプレイの各々はキャラクタを提示するように構成されていることを含み、前記提示を変化させることは、同じ情報を提示するために利用される該サブディスプレイを切り替えることを含む、請求項１に記載の方法。
【請求項６】
産業用装置であって、
少なくとも１つのコネクタであって、該少なくとも１つのコネクタは、該産業用装置が産業用システムに対して複数の方向に該産業用システムに結合されることを可能にするように構成される、少なくとも１つのコネクタと、
該産業用システムに関する状態情報をユーザに表示するように構成されるディスプレイパネルと、
方向信号を受信するように構成されるプロセッサであって、該方向信号は該複数の方向のうちの少なくとも１つを指示し、該プロセッサは該方向信号に応答して該ディスプレイパネル上の該状態情報の提示を変更するように構成される、プロセッサと
を備えている、産業用装置。
【請求項７】
前記プロセッサに結合された入力モジュールを含み、該入力モジュールは、前記ユーザが前記方向信号を該プロセッサに送ることを可能にするように構成されている、請求項６に記載の装置。
【請求項８】
方向センサを含み、該方向センサは、前記産業用装置の方向を感知し、該方向信号を供給するように構成されている、請求項６に記載の装置。
【請求項９】
前記ディスプレイパネルは行列アドレス指定可能である、請求項６に記載の装置。
【請求項１０】
前記ディスプレイパネルは少なくとも２つのサブディスプレイを含み、該サブディスプレイの各々は前記状態情報の少なくとも一部分を表示可能である、請求項６に記載の装置。
【請求項１１】
前記サブディスプレイのうちの少なくとも１つは行列アドレス指定可能である、請求項１０に記載の装置。
【請求項１２】
前記ディスプレイパネルを前記少なくとも１つのコネクタの位置に対して固定するように、該ディスプレイパネルおよび該コネクタに結合されたハウジングを含む、請求項６に記載の装置。
【請求項１３】
前記状態情報は、温度情報、圧力情報およびフロー情報から成るグループから選択される状態情報を含む、請求項６に記載の装置。
【請求項１４】
産業用システムに前記産業用装置を結合する手段であって、該結合する手段は、複数の方向において該産業用システムに該産業用装置を結合する手段を含む、手段と、
方向信号を受信するための手段であって、該方向信号は、該複数の方向のうちの１つを指示する、手段と、
該産業用システムに関する状態情報を受信するための手段と、
ディスプレイ信号を受信し、状態情報を表示するように構成されるディスプレイパネルであって、該ディスプレイ信号は該産業用システムに関する該状態信号を含む、ディスプレイパネルと、
該ディスプレイ信号を生成するための手段であって、該ディスプレイ信号を生成するための手段は、該ディスプレイパネル上の該状態情報の提示を変化させるように、該方向信号に応答して該ディスプレイ信号を変化させるための手段を含む、手段と
を備えている、産業用装置。
【請求項１５】
前記装置の前記方向に基づき方向信号を生成するための手段を含む、請求項１４に記載の装置。
【請求項１６】
前記装置のユーザから方向信号を受信するための手段を含む、請求項１４に記載の装置。
【請求項１７】
前記状態信号を生成するための手段を含み、該状態情報は、温度状態、圧力状態およびフロー状態から成るグループから選択される状態情報を含む、請求項１４に記載の装置。
【請求項１８】
前記ディスプレイパネルは、行列アドレス指定可能なディスプレイパネルであり、前記ディスプレイ信号を生成するための手段は、該ディスプレイ信号に応答して該ディスプレイパネルに行および列の駆動電圧を生成し、該駆動電圧を印加するための手段を含む、請求項１４に記載の装置。
【請求項１９】
前記ディスプレイパネルは複数のディスプレイのサブディスプレイを含む、請求項１４に記載の装置。
【請求項２０】
前記産業用システムの方位を制御するように構成されるアクチュエータを含む、請求項１４に記載の装置。
【発明の詳細な説明】
【技術分野】
【０００１】
（発明の分野）
本発明は産業用デバイスに関する。特に、しかし限定するものではないが、本発明は、産業用制御デバイス上に情報を表示するためのシステムおよび方法に関する。
【背景技術】
【０００２】
（発明の背景）
多くの産業用デバイスは、様々な方向で産業用システムに取り付けられることが可能である。例えば、マスフローコントローラは、１つの方向に上を向いている第１の側を有する１つの流体輸送ラインに取り付けられ得、同一のコントローラが、別の方向に下を向いている第１の側を有する別の輸送ラインに取り付けられ得る。
【０００３】
多くの制御デバイスは、制御デバイスの状態および／または制御機器が関係するプロセスの状態についての情報を提供するディスプレイパネルを含む。例えば、制御デバイスは、しばしば、温度、圧力、全荷重の割合、警告の情報および／またはエラーの情報などの情報を表示可能である。
【０００４】
制御デバイスは、多くの方向において問題なく機械的および電気的に動作し得るが、制御デバイスが、制御デバイスと共に移動する固定されたディスプレイパネルを含む場合、ディスプレイパネルは、制御デバイスのオペレータの視野に対して逆さまに取り付けられ得る。その結果、ディスプレイ上の情報は、オペレータが読み取るのに少なくとも不便であり、さらに悪くは、情報がオペレータによって誤読され得、このことが、プロセスに対するコストのかかる中断、システムに対する損傷、または人の負傷さえ引き起こし得る。
【０００５】
これらのディスプレイの問題を軽減する試みにおいて、一部のデバイスは、制御デバイスがシステムに取り付けられながら、オペレータがディスプレイパネルの物理的な方向を変更し得るように、機械的に調整可能なディスプレイパネルを組み込む。これらの機械的に調整可能なディスプレイは、しばしば調整がやっかいで、劣化し易くおよび／または制御デバイスの構造的な完全さに対して悪影響を及ぼす。従って、システムおよび方法は、現在の技術の不足に対処し、他の新しい革新的な特徴を提供する必要がある。
【発明の開示】
【課題を解決するための手段】
【０００６】
（発明の概要）
図に示される本発明の例示的な実施形態は下記に要約される。これらおよび他の実施形態は、詳細な説明のセクションにおいてより十分に記述される。しかしながら、この発明の概要または詳細な説明に記述される形態に本発明を限定する意図はないことが理解されるべきである。当業者は、特許請求の範囲に述べられるように、本発明の精神および範囲内にある多数の修正、均等物および代替の構造があることを認識し得る。
【０００７】
１つの例示的な実施形態において、本発明は、産業用デバイスからユーザに情報を提示する方法として特徴づけられ得る。この実施形態において、該方法は、産業用システムに対する方向に制御デバイスのディスプレイパネルを設置するように、制御デバイスを配置することと、ディスプレイパネルの方向を該方向に固定するように、制御システムに制御デバイスを取り付けることと、ユーザの見る視野に対するディスプレイパネルの方向に応答して、ディスプレイパネル上の内容の提示を変化させることとを含む。
【０００８】
別の実施形態において、本発明は、制御装置が複数の方向において産業用システムに結合されることを可能にするように構成される少なくとも１つのコネクタを含む産業用装置として特徴づけられ得る。産業用装置は、産業用システムに関する状態情報を表示するように構成されるディスプレイパネルと、複数の方向のうちの少なくとも１つを指示する方向信号を受信するように構成されるプロセッサとを含む。この実施形態のプロセッサは、方向信号に応答してディスプレイパネル上の状態情報の提示を変更するように構成される。
【０００９】
前述のとおり、上記の実施形態およびインプリメンテーションは、例示的な目的のみのためである。本発明の多数の他の実施形態、インプリメンテーションおよび詳細は、当業者によって以下の説明および特許請求の範囲から容易に認識される。
【００１０】
本発明の様々な目的および利点ならびにより完全な理解は、添付の図面に関連して解された場合、以下の詳細な説明および添付の特許請求の範囲を参照して明らかであり、より容易に認識される。
【発明を実施するための最良の形態】
【００１１】
（詳細な説明）
ここで図を参照すると、類似または同様なエレメントは、いくつかの図全体にわたり同一の参照番号で指示される。まず図１Ａおよび図１Ｂを参照すると、本発明の例示的な実施形態に従う制御デバイス１００の斜視図が示される。図１Ａにおいて制御デバイス１００は第１の方向で描かれ、図１Ｂにおいて制御デバイスは第２の方向で示される。
【００１２】
図１Ａおよび図１Ｂに示されるように、制御デバイスは、ハウジング１０２およびハウジング１０２に結合されたコネクタ１０４、入力／出力（Ｉ／Ｏ）ポート１０６、情報テキスト１０８ならびにディスプレイパネル１１０を含む。制御デバイス１００は、図１Ａおよび図１Ｂにおいてマスフローコントローラとして描かれているが、これは必ずしも必要ではない。
【００１３】
一実施形態において、Ｉ／Ｏポート１０６はイーサネット（登録商標）ポートであるが、他の実施形態において、制御デバイスへの通信および制御デバイスからの通信が可能である他のポートが利用され得る（例えば、ＤｅｖｉｃｅＮｅｔ、ＲＳ２３２、ＲＳ４８５、アナログインタフェースなど）。本明細書においてさらに論議されるように、一部の実施形態におけるディスプレイパネル１１０は、液晶ディスプレイ（ＬＣＤ）として実現され、他の実施形態において発光ダイオード（ＬＥＤ）ディスプレイとして実現され、さらに他の実施形態において有機発光ダイオード（ＯＬＥＤ）ディスプレイとして実現される。
【００１４】
本実施形態において、コネクタ１０４は、制御デバイスが様々な方向で産業用プロセスに結合されることを可能にする。例えば、図１Ａに描かれるように、制御デバイスは、情報テキスト１０８が左から右に読み取り可能なように、また制御デバイス１００の流体が左から右に流れるように、配置される。いくつかの実施形態におけるコネクタは、Ｃシール（ｓｅａｌ）、Ｗシール、ＶＣＯ、ＶＣＲおよびＮＰＴなどの工業規格に準拠するコネクタによって実現される。
【００１５】
図１Ｂにおいて、制御デバイスは、図１Ａにおける制御デバイス１００の位置に対して１８０度回転された方向で示され、そのため、制御デバイス１００のハウジング上の情報テキスト１０８がハウジングと共に逆さまであり、情報テキストのキャラクタは右から左に読み取り可能である。しかし、図１Ｂに描かれるディスプレイパネル１１０上の情報は、図１Ａにおける場合と同じ方法で読み取り可能なように表される。特に、本発明のいくつかの実施形態に従って、ディスプレイパネル１１０上の情報の提示は、制御デバイス１００の方向における変化に応答して変更される。
【００１６】
一部の実施形態において、情報の提示は制御デバイス１００のユーザによって選択可能である。例えば、一実施形態において、ユーザは、デバイスのＩ／Ｏポート１０６を用いる通信リンク（例えばイーサネット（登録商標））を介して、制御デバイス１００と通信可能である。別の実施形態において、ユーザがディスプレイパネル１０６上の情報の提示を変更することが可能なように、別々のスイッチが利用される。
【００１７】
さらに他の実施形態において、制御デバイス１００は、制御デバイス１００（およびディスプレイパネル１１０）の方向に基づき、制御デバイス１００の方向を感知し、ディスプレイパネル上の内容の提示を自動的に変更するように構成される。
【００１８】
次に図２を参照すると、本発明の一実施形態に従う制御デバイス１００の機能コンポーネントを描くブロック図２００が示される。示されるように、プロセッサ２０２は、不揮発性メモリ２０４、環境センサ２０６の集まり、方向入力ライン２０８およびディスプレイドライバ２１０に結合される。ディスプレイドライバ２１０は、行ドライバ２１４および列ドライバ２１６を介してディスプレイパネル２１２に結合され、示される。
【００１９】
例示的な実施形態において、センサ２０６は、流量計、圧力計および温度計を含み、これらは、プロセッサ２０２に状態情報を提供する。これらの入力は、例示のみであり、当業者は、他のタイプのセンサが他のタイプの制御デバイスに関連して用いられることを認識する。
【００２０】
本実施形態におけるプロセッサ２０２は、情報（例えば、センサ２０６からの状態情報）を受信し、ディスプレイ信号２２２を（例えば、シリアル形式で）生成するように構成され、該ディスプレイ信号２２２は、行信号および列信号を生成するようにディスプレイドライバ２１０によって処理され、該行信号および列信号は、それぞれ行ドライバ２１４および列ドライバ２１６によって、行および列の駆動電圧に変換される。例示的な実施形態において、プロセッサ２０２は、単一の汎用プロセッサユニット(例えば、Ｍｏｔｏｒｏｌａ  ＣｏｌｄＦｉｒｅ５２８２プロセッサ）として描かれ、該単一の汎用プロセッサユニットは表示されたキャラクタを反転させるための論理を含み、他の実施形態において、プロセッサ２０２は、アナログおよび／またはディジタルの構成要素の集まりによって実現される。
【００２１】
一部の実施形態において、プロセッサ２０２は、変更されたディスプレイ信号がディスプレイパネル２１２上の画像の提示における変化に変わるように、ディスプレイ信号２２２を変更する。例えば、制御デバイス１００が、図１Ａおよび図１Ｂに描かれるように、１８０度回転される場合、提示される情報における任意の英数字キャラクタは、ディスプレイパネル１１０、２１２における情報が左から右に読まれるように、再配置される。さらに、ディスプレイ信号は、逆さまになったキャラクタを修正するように変更される。
【００２２】
図２に描かれた例示的な実施形態において、ディスプレイパネル２１２は、Ｎ行およびＭ列を含む行列アドレス指定可能なディスプレイである。図４に関して記述される別の実施形態において、ディスプレイパネルは、いくつかのサブディスプレイを含み、該サブディスプレイは各々、行および列のそれぞれのセットによってアドレス指定可能である。
【００２３】
本実施形態における方向入力２０８は、方向信号がプロセッサ２０２に送信されることを可能にし、方向信号は、制御デバイス１００が設置されることが可能な１つ以上の方向を指示する。一部の実施形態において、例えば、方向信号はコマンドであり、該コマンドはプロセッサ２０２がディスプレイデータ２２２をディスプレイドライバ２１０に提供するようにさせ、該ディスプレイドライバ２１０はディスプレイパネル２１２上の情報提示をすばやく（ｆｌｉｐ）する。他の実施形態において、方向信号は、制御デバイスの方向を指示する情報を含み得る。
【００２４】
図２は、方向信号の２つの択一的なソースを描く。すなわち、ユーザがディスプレイパネル２１２上の情報の方向を規定することを可能にする、ユーザへの通信リンク２２０、および代案として、制御デバイス１００の方向を感知するように構成される方向センサ２１８である。図２に描かれる実施形態において示されるように、通信リンク２２０は、人間−機械インタフェース（例えば、モバイルコンピュータ）へのネットワーク接続（例えば、イーサネット（登録商標）接続）としてインプリメントされ、該人間−機械インタフェースは、ディスプレイパネル２１２上の情報の方向をユーザが規定することを可能にする。一実施形態において、方向センサ２１８は機械的な重力スイッチであり、代替の実施形態において、方向センサ２１８は加速度計である。
【００２５】
次に図３を参照すると、制御デバイス１００上の情報の提示が制御デバイス１００の方向に基づいて変更される場合、実施されるステップを描くフローチャート３００が示される。図３に描かれるように、制御デバイス１００は最初に、産業用システムに対する方向に制御デバイス１００を設置するように配置される（ブロック３０２、３０４）。デバイスは次いで、該方向で産業用システムに取り付けられる（ブロック３０８）。一旦取り付けられると、制御デバイスのディスプレイパネル１１０、２１２上の内容の提示は、ユーザの視野に対するディスプレイパネルの該方向に基づいて変更される（ブロック３０８、３１０）。
【００２６】
前述のように、一実施形態において、ユーザは、情報の提示における変更を開始し、代替の実施形態において、センサ（例えば、方向センサ２１８）はプロセッサ２０２に方向信号２０８を自動的に送る。
【００２７】
次に図４を参照すると、図１および図２に描かれるディスプレイパネル１１０、２１２の一実施形態としてのインプリメンテーションに適用可能であるディスプレイパネル４００が示される。示されるように、この実施形態におけるディスプレイ４００は、Ｎ個のサブディスプレイ４０４１−４を含み、サブディスプレイ４０４１−４の各々は行列アドレス指定可能なディスプレイ（例えば、５×８行列アドレス指定可能なディスプレイ）である。当業者は、図２に描かれた構成がディスプレイパネル４０２のサブディスプレイを駆動することが可能なように適応可能であることを認識する。
【００２８】
結論として、本発明はとりわけ、制御デバイス上に情報を表示するシステム、装置および方法を提供する。当業者は、本発明、その使用、およびその構成において、多数の変形および代用がなされ得、本明細書に記述された実施形態によって達成された結果と実質的に同じ結果を達成し得ることを容易に認識し得る。従って、開示された例示的な形態に本発明を限定する意図はない。多くの変形、修正および代替の構造は、特許請求の範囲に表されるように、本開示された発明の範囲および精神内に含まれる。
【図面の簡単な説明】
【００２９】
【図１Ａ】図１Ａおよび図１Ｂは、それぞれ第１の方向および第２の方向に位置する制御デバイスの斜視図である。
【図１Ｂ】図１Ａおよび図１Ｂは、それぞれ第１の方向および第２の方向に位置する制御デバイスの斜視図である。
【図２】図２は、図１の制御デバイスの機能構成要素を描くブロック図である。
【図３】図３は、図１の制御デバイス上の情報の提示を適応させる場合、実行される例示的なステップを描くフローチャートである。
【図４】図４は、本発明の別の実施形態に従うディスプレイパネルを描く。
【図１Ａ】
2009501941.tif 000003
【図１Ｂ】
2009501941.tif 000004
【図２】
2009501941.tif 000005
【図３】
2009501941.tif 000006
【図４】
2009501941.tif 000007
【国際調査報告】
2009501941.tif 000008